【事件の表示】
　特願２０１４−　８７２３３「遊技機」拒絶査定不服審判事件〔平成２７年１１月１９日出願公開、特開２０１５−２０５０２５〕について、次のとおり審決する。
【結　論】
　本件審判の請求は、成り立たない。
【理　由】
第１　手続の経緯
　本願は、平成２６年４月２１日の出願であって、平成２７年６月４日付けで拒絶の理由が通知され、これに対し平成２７年７月１７日付けで手続補正がなされたが、さらに、同年１２月２５日付けで拒絶の理由が通知され、平成２８年３月３日に手続補正がなされたところ、同年８月５日付け（発送日：８月１６日）で補正却下の決定とともに拒絶査定がなされ、これに対して、同年１１月１６日付けで拒絶査定不服審判の請求がなされるとともに手続補正（以下、「本件補正」という。）がなされたものである。
第２　本件補正についての補正却下の決定
［補正却下の決定の結論］
　本件補正を却下する。
［理由］
１．本件補正の概要
　本件補正は特許請求の範囲の請求項１の記載を含む補正であり、平成２７年７月１７日付けの手続補正と本件補正の特許請求の範囲の請求項１の記載はそれぞれ、以下のとおりである（下線部は、補正箇所を示す。）。
（補正前：平成２７年７月１７日付け手続補正）
「【請求項１】
　遊技に係わる画像を表示可能な表示装置と、
　遊技者により操作可能な操作手段と、
　前記表示装置に表示する画像に対応した項目を含む選択画面を表示する制御を行う選択画面表示制御手段と、
　前記操作手段による操作によって前記選択画面に含まれる項目を選択させる選択手段と、
　前記選択手段によって選択された項目に基づく画像を前記表示装置に表示する制御を行う画像表示制御手段と、を備え、
　前記項目には、選択可能な態様で表示される選択可能項目と、選択不能な態様で表示される選択不能項目と、が含まれ、
　前記選択手段は、前記選択可能項目を選択可能に制御する一方、前記選択不能項目を選択不能に制御し、
　前記選択画面表示制御手段は、所定条件が成立した以降に、前記選択不能項目を前記選択可能項目とすることにより、選択可能な項目を増やすように制御することを特徴とする遊技機。」
（補正後：本件補正である平成２８年１１月１６日付け手続補正）
「【請求項１】
　
始動条件の成立に伴って図柄を変動表示させる図柄変動表示手段と、
　遊技に係わる画像を表示可能な表示装置と、
　遊技者により操作可能な操作手段と、
　
前記図柄が変動表示されていないときに、前記操作手段による操作によって、
　前記操作手段による操作によって前記選択画面に含まれる項目を選択させる選択手段と、
　前記選択手段によって選択された項目に基づく画像を前記表示装置に表示する制御を行う画像表示制御手段と、を備え、
　前記項目には、選択可能な態様で表示される選択可能項目と、選択不能な態様で表示される選択不能項目と、が含まれ、
　前記選択手段は、前記選択可能項目を選択可能に制御する一方、前記選択不能項目を選択不能に制御し、
　前記選択画面表示制御手段は、所定条件が成立した以降に、前記選択不能項目を前記選択可能項目とすることにより、選択可能な項目
を増加させる
し、
　
前記選択不能項目から前記選択可能項目とされた項目は、前記所定条件が成立した以降は選択可能な状態に維持されること
２．補正の適否
（１）補正後の請求項１は、補正前の請求項１に記載された発明特定事項である「遊技機」について、「始動条件の成立に伴って図柄を変動表示させる図柄変動表示手段」を備えることを特定し、同「選択画面表示手段」について、「図柄が変動表示されていないときに、操作手段による操作によって」選択画面を表示する制御を行うことを特定することにより、請求項１の記載を限定するものである。
（２）補正後の請求項１は、補正前の請求項１に記載された発明特定事項である「選択画面表示制御手段」について、補正前の「選択画面表示制御手段は、・・・選択可能な項目を増やすように制御」することから、補正後の「選択画面表示制御手段は、・・・選択可能な項目を増加させるように制御」することと、表現上の変更をするとともに、「選択不能項目から選択可能項目とされた項目は、所定条件が成立した以降は選択可能な状態に維持される」ことを特定することにより、請求項１の記載を限定するものである。
　そして、補正後の請求項１に記載された発明は、補正前の特許請求の範囲に記載された発明と、産業上の利用分野及び解決しようとする課題が同一であるので、本件補正は、特許法第１７条の２第５項第２号に規定する「特許請求の範囲の減縮」を目的とする補正に該当する。
　そして、本件補正は、明細書の段落【０４３１】、【０４３６】、【０４４７】及び図５５〜５８等の記載に基づいており、新規事項を追加するものではない。
３．独立特許要件
　そこで、本件補正後の請求項１に記載された発明が特許出願の際独立して特許を受けることができるものであるか否か、すなわち、特許法第１７条の２第６項において準用する同法第１２６条第７項の規定に適合するか否か、について以下において検討する。
（１）本件補正後の請求項１に係る発明
　補正後の請求項１に係る発明（以下、「本願補正発明」という。）は、上記１．の本件補正の概要において示した次に特定されるとおりのものである（Ａ〜Ｊについては、発明特定事項を分説するため当審で付与した。）。
「Ａ　始動条件の成立に伴って図柄を変動表示させる図柄変動表示手段と、
Ｂ　遊技に係わる画像を表示可能な表示装置と、
Ｃ　遊技者により操作可能な操作手段と、
Ｄ　前記図柄が変動表示されていないときに、前記操作手段による操作によって、前記表示装置に表示する画像に対応した項目を含む選択画面を表示する制御を行う選択画面表示制御手段と、
Ｅ　前記操作手段による操作によって前記選択画面に含まれる項目を選択させる選択手段と、
Ｆ　前記選択手段によって選択された項目に基づく画像を前記表示装置に表示する制御を行う画像表示制御手段と、を備え、
Ｇ　前記項目には、選択可能な態様で表示される選択可能項目と、選択不能な態様で表示される選択不能項目と、が含まれ、
Ｈ　前記選択手段は、前記選択可能項目を選択可能に制御する一方、前記選択不能項目を選択不能に制御し、
Ｉ　前記選択画面表示制御手段は、所定条件が成立した以降に、前記選択不能項目を前記選択可能項目とすることにより、選択可能な項目を増加させるように制御し、
Ｊ　前記選択不能項目から前記選択可能項目とされた項目は、前記所定条件が成立した以降は選択可能な状態に維持されることを特徴とする遊技機。」
（２）刊行物に記載された事項
　原査定の拒絶の理由に引用された本願の出願日前に頒布された刊行物である特開２０１３―５９４２８号公報（以下、「刊行物」という。）には、図面と共に次の事項が記載されている（下線は当審で付した。）。
（ア）「【００１９】
Ａ．回胴式遊技機の装置構成  ：
Ａ−１．全体構成  ：
　図１は、
回胴式遊技機１
遊技機１には、
前面扉２などが設けられている。前面扉２は、
遊技の進行に応じて種々の演出が行われる上段の領域２ｕ
中段の領域は、
遊技を行うための操作部２ｍｂ
【００２０】
　
上段の領域２ｕには、中央に演出表示装置１０が設けられ、
演出表示装置１０は、いわゆる液晶表示装置によって構成されており、遊技の進行状況に連動して種々の画像を表示して演出を行うことが可能となっている。
（イ）「【００２３】
　加えて、操作部２ｍｂには、上面に精算ボタン４０、および前面に返却ボタン４２が設けられている。ここで、精算ボタン４０とは、遊技機１の内部に貯留されている遊技メダルを外部に払い出す際に操作するボタンである。遊技メダルの投入後も、スタートレバー３６を操作して回胴２０ａ，２０ｂ，２０ｃの回転を開始するまでの間であれば、投入済みの遊技メダルも精算ボタン４０を操作することによって払い出すことが可能である。また、返却ボタン４２とは、遊技メダル投入口３０から投入された遊技メダルが遊技機１の内部で詰まった場合に、遊技メダルの詰まりを解消するために操作されるボタンである。さらに、
操作部２ｍｂには、上面の中央に演出ボタン４３が設けられている。演出ボタン４３は、演出表示装置１０に表示されるメニューから所定の項目を選択する際に使用される。
（ウ）「【００３４】
　
サブ制御基板２２０
ＣＰＵ２２１
サブ制御基板２２０は、演出表示装置にメニューを表示させて、演出ボタン４３によって選択された項目に対応する処理を行っている。
（エ）「【００４１】
　
規定数の遊技メダルを投入して、スタートレバー３６を操作すると、３つの回胴２０ａ，２０ｂ，２０ｃが回転を開始する。図３を用いて前述したように、各回胴には複数の図柄が描かれているため、回胴が回転すると、表示窓２０では、これら図柄が変動表示されることになる。
（オ）「【００６０】
　内部抽選結果伝達コマンドをサブ制御基板２２０に向けて送信すると（Ｓ１１８）、
主制御基板２００のＣＰＵ２０１は、続いて回胴回転始動処理を開始する（図８のＳ１２８）。回胴回転始動処理では、所定の条件が満足されているか否かを判断して、条件が満たされている場合は、３つの回胴２０ａ，２０ｂ，２０ｃを回転させる処理を行う。
（カ）「【０１２１】
　以上では、本実施例の遊技システムについて説明した。この遊技システムを実現するために、本実施例の遊技機１では、サブ制御基板２００に搭載されたＣＰＵ２２１によって演出制御処理が行われる。演出制御処理では、遊技の進行に連動した演出を行う処理や、特殊モードに係る処理などが実行される。」
（キ）「【０１２９】
　これに対して、ＢＢ役の入賞が成立しなかった場合は（Ｓ６１２：ｎｏ）、デモ演出待機時間の計測を開始する（Ｓ６１８）。詳しくは後述するが、本実施例の遊技機１では、
遊技が終了してから
あるいは後述の特殊モード画面の表示が終了してから、所定時間が経過しても、遊技メダルの投入完了あるいは後述の特殊モード画面の表示が行われない場合は、デモ演出を開始する。
（ク）「【０１４５】
　こうして、特殊モード中処理を行ったら（図２６のＳ５０４）、続いて、特殊モード機能対応処理を行う（Ｓ５０８）。ここで、詳しくは後述するが、本実施例の遊技機１では、「遊技が進行していないときに、遊技者識別情報をコンテンツサーバ８００に記憶させるための接続先コードを表示する機能」（以下、「会員登録機能」ともいう）を有する（図２１参照）。また、「遊技が進行していないときに、パスワードを受け付けて該パスワードから抽出された履歴情報を記憶する機能」（以下、「履歴情報入力機能」ともいう）を有する（図２４参照）。さらに、「遊技が進行していないときに、記憶している履歴情報から履歴情報伝達コードを生成して表示する機能」（以下、「履歴情報出力機能」ともいう）を有する（図２３参照）。そして、本実施例の遊技機１には、これらの機能が有効に設定された期間、無効に設定された期間が設けられている。詳しくは、上述した「会員登録機能」、「履歴情報入力機能」、「履歴情報出力機能」の全てが無効に設定された（機能Ａが設定された）機能Ａ設定期間が設けられている。また、「会員登録機能」が有効に設定され、「履歴情報入力機能」および「履歴情報出力機能」が無効に設定された機能Ｂ設定期間が設けられている。さらに、「会員登録機能」、「履歴情報入力機能」、「履歴情報出力機能」の全てが有効に設定された（機能Ｃが設定された）機能Ｃ設定期間、「会員登録機能」が無効に設定され、「履歴情報入力機能」および「履歴情報出力機能」が有効に設定された（機能Ｄが設定された）機能Ｄ設定期間が設けられている。特殊モード機能対応処理では、これら４種類の期間に応じて、各機能を有効あるいは無効にする処理が行われる。」
（ケ）「【０１５２】
　図３４〜図３７は、本実施例の
機能Ｃ設定中特殊モード操作対応処理
サブ制御基板２２０に搭載されたＣＰＵ２２１は先ず初めに、デモ演出中か否かを判断する
デモ演出中である場合は
演出ボタン４３の操作を検出したか否かを判断する
演出ボタン４３の操作を検出した場合は
「機能Ｃ設定期間用メニュー画面」を表示する
（コ）「【０１５４】
　図３８は、本実施例の機能Ｃ設定期間用メニュー画面を例示した説明図である。「機能Ｃ設定期間用メニュー画面」は演出表示装置１０に表示される。図３８に示すように、
「機能Ｃ設定期間用メニュー画面」には、遊技者が選択可能な「会員登録」、「パスワード入力」、「履歴情報伝達コード表示」、「終了」のメニュー項目が表示される。
（サ）「【０１５５】
　以上は、デモ演出中に（図３４のＳ１２０６：ｙｅｓ）演出ボタン４３が操作された場合（Ｓ１２０８：ｙｅｓ）について説明した。これに対して、デモ演出中でない場合は（Ｓ１２０６：ｎｏ）、「機能Ｃ設定期間用メニュー画面」の表示中か否かを判断する（図３５のＳ１２４０）。その結果、「機能Ｃ設定期間用メニュー画面」の表示中である場合は（Ｓ１２４０：ｙｅｓ）、「会員登録」が選択されたか否かの判断を行う（Ｓ１２４２）。図３８を用いて前述したように
「メニュー画面」には、遊技者が選択可能なメニュー項目
が表示されており、これらのメニュー項目は、演出ボタン４３を遊技者が操作することによって選択される。
（シ）「【０１５６】
　Ｓ１２４２の処理では、これらのメニュー項目のうち「会員登録」が選択されたか否かが判断される。その結果、
会員登録が選択された場合は
「接続先コード表示画面」を演出表示装置１０に表示する
【０１５７】
　以上は、図３８を用いて前述した「機能Ｃ設定期間用メニュー画面」に表示されたメニュー項目のうち「会員登録」が選択された場合の処理について説明した。これに対して、
「パスワード入力」が選択された場合は
「パスワード入力画面」を表示する
【０１５８】
　「機能Ｃ設定期間用メニュー画面」に表示されたメニュー項目のうち
「履歴情報伝達コード表示」が選択された場合は
・・・
【０１６０】
　一方、特殊モードで遊技が進行している場合は（Ｓ１４００：ｙｅｓ）、履歴情報を把握するとともに（Ｓ１４０２）、コンテンツサーバ８００の接続先情報（ＵＲＬ）を把握する（Ｓ１４０４）。続いて、これらの履歴情報およびＵＲＬを二次元コードに変換して履歴情報伝達コードの生成を行う（Ｓ１４０６）。そして、図４１に示すような履歴情報伝達コードが付された
「履歴情報伝達コード表示画面」を演出表示装置１０に表示する
（ス）「【０１７８】
　図４４は、本実施例の機能Ｂ設定期間用メニュー画面を例示した説明図である。図４４に示すように、
「機能Ｂ設定期間用メニュー画面」では、メニュー項目のうち「会員登録」と「終了」の項目は選択することができ、「パスワード入力」と「履歴情報伝達コード表示」の項目は選択することができないように構成されている。すなわち、「機能Ｂ設定中特殊モード操作対応処理」では、
「会員登録」が選択された場合の処理
に相当する処理は実行されるが、「パスワード入力」および「履歴情報伝達コード表示」が選択された場合の処理
に相当する処理は実行されない。
（セ）「【０１８５】
　図４７は、本実施例の設置経過日数ｔ１〜ｔ６、ｔＸの時期を示す説明図である。図４７に示すように、
遊技機を設置してから設置経過日数ｔ１〜ｔ６、ｔＸの順で設置経過日数が到来するように該設定経過日数が設定されている。
・・・
【０１８７】
　
遊技機１を設置してから設置経過日数ｔ１が経過するまでは、「会員登録機能」、「履歴情報入力機能」、「履歴情報出力機能」の全ての機能が無効に設定された「機能Ａ設定期間」が設けられる。
【０１８８】
　
遊技機１を設置してから設置経過日数ｔ１が経過すると「機能Ｂ設定期間」が開始されて、「履歴情報入力機能」および「履歴情報出力機能」は無効に設定されたまま、「会員登録機能」が有効に設定される。
【０１８９】
　
遊技機１を設置してから設置経過日数ｔ２が経過すると「機能Ｃ設定期間」が開始されて、「会員登録機能」に加えて、「履歴情報入力機能」および「履歴情報出力機能」が有効に設定される。
【０１９０】
　
遊技機１を設置してから設置経過日数ｔ３が経過すると「機能Ｄ設定期間」が開始されて、「履歴情報入力機能」および「履歴情報出力機能」が有効に設定されたまま、「会員登録機能」が無効に設定される。
　上記（ア）〜（セ）の記載事項から、以下の事項が導かれる。
（１−ａ）上記（エ）【００４１】には、規定数の遊技メダルを投入して、スタートレバー３６を操作すると、３つの回胴２０ａ，２０ｂ，２０ｃが回転を開始すること、及び、各回胴には複数の図柄が描かれているため、回胴が回転すると、表示窓２０では、これら図柄が変動表示されることになることが、上記（オ）【００６０】には、主制御基板２００のＣＰＵ２０１は、回胴回転始動処理を開始すること、及び、回胴回転始動処理では、所定の条件が満足されているか否かを判断して、条件が満たされている場合は、３つの回胴２０ａ，２０ｂ，２０ｃを回転させる処理を行うことが、それぞれ、記載されている。
　そうすると、刊行物には、所定の条件が満足されているか否かを判断して、条件が満たされている場合は、図柄を変動表示させる回動回転始動処理を行う制御基板が記載されているといえる。
（１−ｂ）上記（ア）【００１９】、【００２０】には、遊技機１の前面扉２の上段の領域２ｕには、中央に演出表示装置１０が設けられ、演出表示装置１０は、遊技の進行状況に連動して種々の画像を表示して演出を行うことが可能となっていることが記載されている。
　そうすると、刊行物には、遊技の進行状況に連動して種々の画像を表示して演出を行うことが可能な演出表示装置が記載されている。
（１−ｃ）上記（ア）【００１９】には、遊技機１の前面扉２の中段の領域は、遊技を行うための操作部２ｍｂが構成されていることが、（イ）【００２３】には、操作部２ｍｂには、演出ボタン４３が設けられていることが、上記（サ）【０１５５】には、演出ボタン４３を遊技者が操作することが、それぞれ、記載されている。
　そうすると、刊行物には、遊技者が操作する演出ボタン４３記載されている。
（１−ｄ）上記（キ）【０１２９】には、遊技が終了してからあるいは特殊モード画面の表示が終了してから、所定時間が経過しても、遊技メダルの投入完了あるいは特殊モード画面の表示が行われない場合は、デモ演出を開始することが、上記（ケ）【０１５２】には、機能Ｃ設定中特殊モード動作対応処理において、サブ制御基板２２０に搭載されたＣＰＵ２２１は、デモ演出中か否かを判断し、デモ演出中である場合は、演出ボタン４３の操作を検出したか否かを判断し、演出ボタン４３の操作を検出した場合は、「機能Ｃ設定期間用メニュー画面」を表示することが、上記（コ）【０１５４】には、「機能Ｃ設定期間用メニュー画面」には、遊技者が選択可能な「会員登録」、「パスワード入力」、「履歴情報伝達コード表示」、「終了」のメニュー項目が表示されることが、上記（シ）【０１５６】、【０１５７】、【０１６０】には、「会員登録」が選択された場合は、「接続先コード表示画面」を演出表示装置１０に表示し、「パスワード入力」が選択された場合は、「パスワード入力画面」を表示し、「履歴情報伝達コード表示」が選択された場合は、「履歴情報伝達コード表示画面」を演出表示装置１０に表示することが、それぞれ、記載されている。
　そうすると、刊行物には、デモ演出中に、演出ボタン４３の操作を検出した場合は、演出表示装置１０に表示する「接続先コード表示画面」に対応した「会員登録」、「パスワード入力画面」に対応した「パスワード入力」、「履歴情報伝達コード表示画面」に対応した「履歴情報伝達コード表示」のメニュー項目を有する「機能Ｃ設定期間用メニュー画面」を表示する機能を有するサブ制御基板２２０が記載されているといえる。
（１−ｅ）上記（ウ）【００３４】には、サブ制御基板２２０は、演出表示装置にメニューを表示させて、演出ボタン４３によって選択された項目に対応する処理を行っていることが、上記（サ）【０１５５】には、「メニュー画面」には、遊技者が選択可能なメニュー項目が表示されており、これらのメニュー項目は、演出ボタン４３を遊技者が操作することによって選択されることが、それぞれ、記載されている。
　そうすると、刊行物には、演出ボタン４３による操作によってメニュー画面に含まれるメニュー項目を選択させる機能を有するサブ制御基板２２０が記載されている。
（１−ｆ）上記（１−ｄ）、（１−ｅ）において検討したとおり、刊行物には、選択されたメニュー項目、すなわち、「会員登録」、「パスワード入力」及び「履歴情報伝達コード表示」のそれぞれに対応した「接続先コード表示画面」、「パスワード入力画面」及び「履歴情報伝達コード表示画面」を表示する機能を有するサブ制御基板２２０が記載されている。
（１−ｇ）上記（ス）【０１７８】には、「機能Ｂ設定期間用メニュー画面」では、メニュー項目のうち「会員登録」と「終了」の項目は選択することができ、「パスワード入力」と「履歴情報伝達コード表示」の項目は選択することができないように構成されていることが記載されている。
　そうすると、刊行物には、メニュー項目には、選択することができる「会員登録」と、選択することができない「パスワード入力」と「履歴情報伝達コード表示」と、が含まれることが記載されている。
（１−ｈ）上記（１−ｅ）より、サブ制御基板２２０は、メニュー画面に含まれるメニュー項目を選択させる機能を有している。
　また、上記（ス）【０１７８】には、「機能Ｂ設定期間用メニュー画面」では、メニュー項目のうち「会員登録」と「終了」の項目は選択することができ、「パスワード入力」と「履歴情報伝達コード表示」の項目は選択することができないように構成されており、「機能Ｂ設定中特殊モード操作対応処理」では、「会員登録」が選択された場合の処理は実行されるが、「パスワード入力」および「履歴情報伝達コード表示」が選択された場合の処理は実行されないことが記載されている。
　そうすると、刊行物には、メニュー画面に含まれるメニュー項目を選択させる機能を有するサブ制御基板２２０は、選択することができる「会員登録」が選択された場合の処理は実行するが、選択することができない「パスワード入力」及び「履歴情報伝達コード表示」が選択された場合の処理は実行しないようにされていることが記載されているといえる。
（１−ｉ）上記（１−ｄ）より、サブ制御基板２２０に搭載されたＣＰＵ２２１は、デモ演出中か否かを判断し、デモ演出中である場合は、演出ボタン４３の操作を検出したか否かを判断し、演出ボタン４３の操作を検出した場合は、メニュー画面を表示している。
　そして、上記（セ）【０１８５】〜【０１９０】には、遊技機が設置してから設置経過日数ｔ１〜ｔ６、ｔＸの順で設置経過日数が到来するように設定経過日数が設定されていること、及び、遊技機１を設置してから設置経過日数ｔ１が経過するまでは、「会員登録機能」、「履歴情報入力機能」、「履歴情報出力機能」の全ての機能が無効に設定された「機能Ａ設定期間」が設けられ、遊技機１を設置してから設置経過日数ｔ１が経過すると「機能Ｂ設定期間」が開始されて、「履歴情報入力機能」および「履歴情報出力機能」は無効に設定されたまま、「会員登録機能」が有効に設定され、遊技機１を設置してから設置経過日数ｔ２が経過すると「機能Ｃ設定期間」が開始されて、「会員登録機能」に加えて、「履歴情報入力機能」および「履歴情報出力機能」が有効に設定されることが、記載されている。
　そうすると、刊行物には、メニュー画面を表示する機能を有するサブ制御基板２２０は、設置経過日数ｔ１が経過するまでは、「会員登録機能」、「履歴情報入力機能」、「履歴情報出力機能」の全ての機能が無効に設定し、設置経過日数ｔ１が経過すると、「履歴情報入力機能」および「履歴情報出力機能」は無効に設定されたまま、「会員登録機能」が有効に設定し、設置経過日数ｔ２が経過すると、「会員登録機能」に加えて、「履歴情報入力機能」および「履歴情報出力機能」が有効に設定することが記載されているといえる。
（１−ｊ）上記（セ）【０１８５】〜【０１９０】には、遊技機１を設置してから設置経過日数ｔ２が経過すると「機能Ｃ設定期間」が開始されて、「会員登録機能」に加えて、「履歴情報入力機能」および「履歴情報出力機能」が有効に設定され、及び、遊技機１を設置してから設置経過日数ｔ３が経過すると「機能Ｄ設定期間」が開始され、「履歴情報入力機能」および「履歴情報出力機能」が有効に設定されたまま、「会員登録機能」が無効に設定されることが、記載されている。
　そうすると、刊行物には、設置経過日数ｔ２が経過して有効に設定された「履歴情報入力機能」および「履歴情報出力機能」は、設置経過日数ｔ３が経過しても有効に設定されたままである遊技機が記載されているといえる。
　以上、上記（ア）〜（セ）の記載事項及び上記（１−ａ）〜（１−ｊ）の認定事項を総合すれば、刊行物には、以下の発明（以下、「引用発明」という。）が記載されている（ａ〜ｊは発明の構成を分説するため当審で付与した。）。
「ａ　所定の条件が満足されているか否かを判断して、条件が満たされている場合は、図柄を変動表示させる回動回転始動処理を行う制御基板と、
ｂ　遊技の進行状況に連動して種々の画像を表示して演出を行うことが可能な演出表示装置と、
ｃ　遊技者が操作する演出ボタン４３と、
ｄ　デモ演出中に、演出ボタン４３の操作を検出した場合は、演出表示装置１０に表示する「接続先コード表示画面」に対応した「会員登録」、「パスワード入力画面」に対応した「パスワード入力」、「履歴情報伝達コード表示画面」に対応した「履歴情報伝達コード表示」のメニュー項目を有する「機能Ｃ設定期間用メニュー画面」を表示する機能を有するサブ制御基板２２０と、
ｅ　演出ボタン４３による操作によってメニュー画面に含まれるメニュー項目を選択させる機能を有するサブ制御基板２２０と、を備え、
ｆ　選択されたメニュー項目、すなわち、「会員登録」、「パスワード入力」及び「履歴情報伝達コード表示」のそれぞれに対応した「接続先コード表示画面」、「パスワード入力画面」及び「履歴情報伝達コード表示画面」を表示する機能を有するサブ制御基板２２０と、
ｇ　メニュー項目には、選択することができる「会員登録」と、選択することができない「パスワード入力」と「履歴情報伝達コード表示」と、が含まれ、
ｈ　選択することができる「会員登録」が選択された場合の処理は実行されるが、選択することができない「パスワード入力」及び「履歴情報伝達コード表示」が選択された場合の処理は実行されないようにされ、
ｉ　メニュー画面を表示する機能を有するサブ制御基板２２０は、設置経過日数ｔ１が経過するまでは、「会員登録機能」、「履歴情報入力機能」、「履歴情報出力機能」の全ての機能が無効に設定され、設置経過日数ｔ１が経過すると、「履歴情報入力機能」および「履歴情報出力機能」は無効に設定されたまま、「会員登録機能」が有効に設定され、設置経過日数ｔ２が経過すると、「会員登録機能」に加えて、「履歴情報入力機能」および「履歴情報出力機能」が有効に設定され、
ｊ　設置経過日数ｔ２が経過して有効に設定された「履歴情報入力機能」および「履歴情報出力機能」は、設置経過日数ｔ３が経過しても有効に設定されたままである遊技機。」
（３）対比
　本願補正発明と引用発明とを対比する。なお、見出しは（ａ）−（ｊ）とし、本願補正発明、引用発明１の分説に対応させている。
（ａ）引用発明の「所定の条件が満足されているか否かを判断して、条件が満たされている」ことは、図柄を変動表示させるための条件であるから、本願補正発明の「始動条件の成立に伴」うことに相当する。
　また、引用発明の「回転回動始動処理」は、図柄を変動表示させる処理であるから、引用発明の「回動回転始動処理を行う制御基板」は、本願補正発明の「図柄変動表示手段」に相当する。
　したがって、引用発明の「所定の条件が満足されているか否かを判断して、条件が満たされている場合は、図柄を変動表示させる回動回転始動処理を行う制御基板」は、本願補正発明の「始動条件の成立に伴って図柄を変動表示させる図柄変動表示手段」に相当する。
（ｂ）引用発明の「遊技の進行状況に連動して種々の画像を表示して演出を行うこと」は、本願補正発明の「遊技に係わる画像を表示」することに相当する。
　したがって、引用発明の「演出表示装置」は、本願補正発明の「表示装置」に相当する。
　よって、引用発明の「遊技の進行状況に連動して種々の画像を表示して演出を行うことが可能な演出表示装置」は、本願補正発明の「遊技に係わる画像を表示可能な表示装置」に相当する。
（ｃ）引用発明の「遊技者が操作する」ことは、本願補正発明の「遊技者により操作可能」であることに相当する。
　したがって、引用発明の「演出ボタン４３」は、本願補正発明の「操作手段」に相当する。
　よって、引用発明の「遊技者が操作する演出ボタン４３」は、本願補正発明の「遊技者により操作可能な操作手段」に相当する。
（ｄ）引用発明の「デモ演出中」は、図柄が変動表示されていないときであることは明らかであるので、本願補正発明の「前記図柄が変動表示されていないとき」に相当する。
　上記（ｃ）より、引用発明の「演出ボタン４３の操作」が「検出」されることは、本願補正発明の「前記操作手段による操作」をすることに相当する。
　また、引用発明の「演出表示装置１０に表示する「接続先コード表示画面」・・・、「パスワード入力画面」・・・、「履歴情報伝達コード画面」」は、本願補正発明の「前記表示装置に表示する画像」に相当する。
　そうすると、引用発明の「「会員登録」、・・・「パスワード入力」、・・・「履歴情報伝達コード表示」のメニュー項目を有する「機能Ｃ設定期間用メニュー画面」」は、本願補正発明の、前記表示装置に表示する画像に対応した「項目を含む選択画面」に相当する。
　したがって、引用発明の「「機能Ｃ設定期間用メニュー画面」を表示する機能を有する」ことは、本願補正発明の「選択画面を表示する制御を行う」ことに相当する。
　よって、引用発明の「デモ演出中に、演出ボタン４３の操作を検出した場合は、演出表示装置１０に表示する「接続先コード表示画面」に対応した「会員登録」、「パスワード入力画面」に対応した「パスワード入力」、「履歴情報伝達コード表示画面」に対応した「履歴情報伝達コード表示」のメニュー項目を有する「機能Ｃ設定期間用メニュー画面」を表示する機能を有するサブ制御基板２２０」は、本願補正発明の「前記図柄が変動表示されていないときに、前記操作手段による操作によって、前記表示装置に表示する画像に対応した項目を含む選択画面を表示する制御を行う選択画面表示制御手段」としての機能を有する。
（ｅ）上記（ｃ）及び上記（ｄ）より、引用発明の「演出ボタン４３」、「メニュー画面」及び「メニュー項目」は、それぞれ、本願補正発明の「操作手段」、「選択画面」及び「項目」に相当する。
　よって、引用発明の「演出ボタン４３による操作によってメニュー画面に含まれるメニュー項目を選択させる機能を有するサブ制御基板２２０」は、本願補正発明の「前記操作手段による操作によって前記選択画面に含まれる項目を選択させる選択手段」としての機能を有する。
（ｆ）上記（ｅ）より、項目は選択手段によって選択されるものであるから、引用発明の「選択されたメニュー項目、すなわち、「会員登録」、「パスワード入力」及び「履歴情報伝達コード表示」」は、本願補正発明の「前記選択手段によって選択された項目」に相当する。
　また、上記（ｄ）より、引用発明の「「接続先コード表示画面」、「パスワード入力画面」及び「履歴情報伝達コード表示画面」」は、本願補正発明の「画像」に相当し、上記（ｂ）より、画像は表示装置に表示可能なものである。
　よって、引用発明の「選択されたメニュー項目、すなわち、「会員登録」、「パスワード入力」及び「履歴情報伝達コード表示」のそれぞれに対応した「接続先コード表示画面」、「パスワード入力画面」及び「履歴情報伝達コード表示画面」を表示する機能を有するサブ制御基板２２０」は、本願補正発明の「前記選択手段によって選択された項目に基づく画像を前記表示装置に表示する制御を行う画像表示制御手段」としての機能を有する。
（ｇ）引用発明の「メニュー項目には、選択することができる「会員登録」と、選択することができない「パスワード入力」と「履歴情報伝達コード表示」と、が含まれ」ることは、本願補正発明の「前記項目には、選択可能な態様で表示される選択可能項目と、選択不能な態様で表示される選択不能項目と、が含まれ」ることに相当する。
（ｈ）上記（ｅ）より、引用発明の「メニュー項目を選択させる機能を有するサブ制御基板２２０」は、本願補正発明の「選択手段」としての機能を有する。
　また、引用発明の「選択することができる「会員登録」が選択された場合の処理は実行されるが、選択することができない「パスワード入力」及び「履歴情報伝達コード表示」が選択された場合の処理は実行されないようにされ」ることは、本願補正発明の「前記選択可能項目を選択可能に制御する一方、前記選択不能項目を選択不能に制御」することに相当する。
　よって、引用発明の「メニュー項目を選択させる機能を有するサブ制御基板２２０は、選択することができる「会員登録」が選択された場合の処理は実行されるが、選択することができない「パスワード入力」及び「履歴情報伝達コード表示」が選択された場合の処理は実行されないようにされ」ることは、本願補正発明の「前記選択手段は、前記選択可能項目を選択可能に制御する一方、前記選択不能項目を選択不能に制御」することに相当する。
（ｉ）上記（ｄ）で検討のとおり、引用発明の「メニュー画面を表示する機能を有するサブ制御基板２２０」は、本願補正発明の「選択画面表示制御手段」としての機能を有する。
　また、引用発明は、設置経過日数ｔ２が経過すると、「会員登録機能」に加えて、それまで無効に設定されていた「履歴情報入力機能」および「履歴情報出力機能」が有効に設定されるものであるから、本願補正発明の「所定条件が成立した以降に、前記選択不能項目を前記選択可能項目とすることにより、選択可能な項目を増加させる」構成を有する。
　よって、引用発明の「メニュー画面を表示する機能を有するサブ制御基板２２０は、設置経過日数ｔ１が経過するまでは、「会員登録機能」、「履歴情報入力機能」、「履歴情報出力機能」の全ての機能が無効に設定し、設置経過日数ｔ１が経過すると、「履歴情報入力機能」および「履歴情報出力機能」は無効に設定されたまま、「会員登録機能」が有効に設定し、設置経過日数ｔ２が経過すると、「会員登録機能」に加えて、「履歴情報入力機能」および「履歴情報出力機能」が有効に設定」されることは、本願補正発明の「前記選択画面表示制御手段は、所定条件が成立した以降に、前記選択不能項目を前記選択可能項目とすることにより、選択可能な項目を増加させるように制御」することに相当する。
（ｊ）引用発明は、「設置経過日数ｔ２が経過して有効に設定された「履歴情報入力機能」および「履歴情報出力機能」は、設置経過日数ｔ３が経過しても有効に設定されたまま」とするものであるから、本願補正発明の「前記選択不能項目から前記選択可能項目とされた項目は、前記所定条件が成立した以降は選択可能な状態に維持される」構成を有する。
　また、上記（ｄ）で検討のとおり、選択画面を表示する制御は選択画面表示制御手段で行うものである。
　よって、引用発明の「設置経過日数ｔ２が経過して有効に設定された「履歴情報入力機能」および「履歴情報出力機能」は、設置経過日数ｔ３が経過しても有効に設定されたままである遊技機」は、本願補正発明の「前記選択不能項目から前記選択可能項目とされた項目は、前記所定条件が成立した以降は選択可能な状態に維持されることを特徴とする遊技機」に相当することは明らかである。
　上記（ａ）−（ｊ）の対比により、本願補正発明と引用発明とは、
「Ａ　始動条件の成立に伴って図柄を変動表示させる図柄変動表示手段と、
Ｂ　遊技に係わる画像を表示可能な表示装置と、
Ｃ　遊技者により操作可能な操作手段と、
Ｄ　前記図柄が変動表示されていないときに、前記操作手段による操作によって、前記表示装置に表示する画像に対応した項目を含む選択画面を表示する制御を行う選択画面表示制御手段と、
Ｅ　前記操作手段による操作によって前記選択画面に含まれる項目を選択させる選択手段と、
Ｆ　前記選択手段によって選択された項目に基づく画像を前記表示装置に表示する制御を行う画像表示制御手段と、を備え、
Ｇ　前記項目には、選択可能な態様で表示される選択可能項目と、選択不能な態様で表示される選択不能項目と、が含まれ、
Ｈ　前記選択手段は、前記選択可能項目を選択可能に制御する一方、前記選択不能項目を選択不能に制御し、
Ｉ　前記選択画面表示制御手段は、所定条件が成立した以降に、前記選択不能項目を前記選択可能項目とすることにより、選択可能な項目を増加させるように制御し、
Ｊ　前記選択不能項目から前記選択可能項目とされた項目は、前記所定条件が成立した以降は選択可能な状態に維持されることを特徴とする遊技機。」
である点で一致しており、相違点はない。
（４）判断
　したがって、本願補正発明は引用発明と同一であり、刊行物に記載された発明といえる。
　仮に、相違点があったとしても、本願補正発明は引用発明から当業者が容易に想到することができたものであるといえる。
（５）小括
　よって、本願補正発明は刊行物に記載された発明であるか、又は引用発明に基づいて当業者が容易に発明できたものであり、特許法第２９条第１項第３号の規定に該当し、又は特許法第２９条第２項の規定に基づいて特許出願の際独立して特許を受けることができない。
４．むすび
　以上より、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明
　本願補正発明は、上記第２のとおり却下されたので、本願の請求項１に係る発明（以下、「本願発明」という。）は、平成２７年７月１７日付けの手続補正書により補正された、上記第２の１．で補正前として記載されたとおりのものである。
１．刊行物
　原査定の拒絶の理由に引用された刊行物の記載事項、引用発明は、上記第２の３．（２）に記載したとおりである。
２．対比・判断
　本願発明は、本願補正発明の特定事項から、「遊技機」について、「始動条件の成立に伴って図柄を変動表示させる図柄変動表示手段」を備えることを付加した部分、及び、「選択画面表示手段」について、「図柄が変動表示されていないときに、操作手段による操作によって」選択画面を表示する制御を行うこととする限定を付加した部分を削除するとともに、本願補正発明の「選択画面表示制御手段は、・・・選択可能な項目を増加させるように制御」することを、「選択画面表示制御手段は、・・・選択可能な項目を増やすように制御」することと表現上の変更をしたものであり、また、本願補正発明の特定事項から、「選択画面表示制御手段」について、「選択不能項目から選択可能項目とされた項目は、所定条件が成立した以降は選択可能な状態に維持される」こととする限定を付加した部分を削除したものである。
　そうすると、本願発明の発明特定事項を実質的にすべて含み、さらに、他の発明特定事項を付加したものに相当する本願補正発明が、上記第２に記載したとおり、引用発明と同一であるか、引用発明に基づいて、当業者が容易に発明をすることができたものであるから、本願発明も、同様に、引用発明と同一であるか、引用発明に基づいて、当業者が容易に発明をすることができたものである。
３．むすび
　以上のとおり、本願発明は、特許法第２９条第１項第３号の規定に該当し、又は特許法第２９条第２項の規定に基づいて特許を受けることができないものである。
　よって、結論のとおり審決する。